(57)【要約】【課題】特定の記録媒体に対してデータを記録することができる記録プログラム及び記録装置並びに記録媒体の提供。【解決手段】記録媒体には、少なくとも製造業社コードやタイプコードなどの予め割り当てられる第１のコードと、サービス提供者が任意に設定することができる第２のコードとが書き込まれており、記録プログラムは、コンピュータを、第１のコードと第２のコードの論理演算の結果に基づいて記録媒体を識別する記録媒体識別手段、該記録媒体が特定の記録媒体であると認識したことを条件として、該記録媒体に画像データを書き込ませる記録制御手段、として機能させる。これにより、第１のコードが変更された場合であっても、変更内容に基づいてサービス提供者が第２のコードを設定すれば、変更前及び変更後にかかわらず記録媒体を確実に識別することができ、画像データの書き込みが可能になる。【選択図】図８
2006031777.tif 000002
【特許請求の範囲】
【請求項１】
コンピュータを、
記録媒体に予め記録されている少なくとも２つのコードに基づいて、該記録媒体を識別する記録媒体識別手段、
前記記録媒体が特定の記録媒体であると認識したことを条件として、画像データを前記記録媒体に記録させる記録制御手段、として機能させることを特徴とする記録プログラム。
【請求項２】
前記記録媒体識別手段では、前記２つのコードの論理演算の結果が予め定められた値と一致する場合に、該記録媒体を特定の記録媒体として認識することを特徴とする請求項１記載の記録プログラム。
【請求項３】
前記２つのコードの内の１つのコードは、前記記録媒体の製造業社に対応して予め割り当てられたコードを含むことを特徴とする請求項１又は２に記載の記録プログラム。
【請求項４】
前記２つのコードの内の少なくとも１つのコードは、前記記録媒体の論理アドレス領域外に記録されていることを特徴とする請求項１乃至３のいずれか一に記載の記録プログラム。
【請求項５】
画像データを入力する手段と、
装填された記録媒体に記録されている少なくとも２つのコードに基づいて、該記録媒体を識別する記録媒体識別手段と、
前記記録媒体が特定の記録媒体であると認識したことを条件として、前記画像データを前記記録媒体に記録させる記録制御手段と、を少なくとも備えることを特徴とする記録装置。
【請求項６】
前記記録媒体識別手段では、前記２つのコードの論理演算の結果が予め定められた値と一致する場合に、該記録媒体を特定の記録媒体として認識することを特徴とする請求項５記載の記録装置。
【請求項７】
前記２つのコードの内の１つのコードは、前記記録媒体の製造業社に対応して予め割り当てられたコードを含むことを特徴とする請求項５又は６に記載の記録装置。
【請求項８】
前記２つのコードの内の少なくとも１つのコードは、前記記録媒体の論理アドレス領域外に記録されていることを特徴とする請求項５乃至７のいずれか一に記載の記録装置。
【請求項９】
特定のプログラムで認識される、予め割り当てられた第１のコードと、前記第１のコードとの論理演算の結果が予め定められた値になるように設定された第２のコードと、が少なくとも記録されていることを特徴とする記録媒体。
【請求項１０】
前記２つのコードの内の１つのコードは、前記記録媒体の製造業社に対応して予め割り当てられたコードを含むことを特徴とする請求項９記載の記録媒体。
【請求項１１】
前記２つのコードの内の少なくとも１つのコードは、前記記録媒体の論理アドレス領域外に記録されていることを特徴とする請求項９又は１０に記載の記録媒体。
【発明の詳細な説明】
【技術分野】
【０００１】
本発明は、特定の記録媒体に対してデータの記録を行う記録プログラム及び記録装置並びに記録媒体に関する。
【背景技術】
【０００２】
近年、写真に関連する様々なサービスが提供されるようになってきている。例えば、写真を撮影したデジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、デジタルカメラやメディアから読み取った画像データに基づいて、ＤＶＤプレーヤやＤＶＤレコーダ、ＨＤＤレコーダ、ゲーム機などで再生可能な形式の画像データを生成し、元の画像データと生成した画像データとをＣＤ−ＲやＤＶＤ−Ｒなどの記録媒体に書き込むこともできる。
【０００４】
また、画像データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データを記録媒体に書き込んだり、読み取った画像データに基づいて画像再生機器用データを生成して記録媒体に書き込むこともできる。
【０００５】
【特許文献１】特開平５−１８２３７３号公報（第４−６頁、第３図）
【発明の開示】
【発明が解決しようとする課題】
【０００６】
上記サービスを利用して記録媒体に画像データを書き込む場合、画像データのディレクトリ構造やファイル形式、画像データと共に記録されるデータやアプリケーションなどのルールはサービス提供者によって様々であり、複数の記録媒体に記録された画像データを電子アルバムとして一括して管理することを考慮すると、各々の記録媒体の画像データは同じルールに従って記録されていることが好ましい。そこで、記録媒体に予め識別情報を記録しておき、記録装置や記録プログラム側でこの識別情報を判別して、所定の識別情報を備える特定の記録媒体に対してのみ画像データを記録することもできる。
【０００７】
しかしながら、上記識別情報として、記録媒体の製造業社に対応して割り当てられる情報や記録媒体の規格に対応して割り当てられる情報などを用いた場合、異なる製造業社が製造した記録媒体や種類の異なる記録媒体を利用すると識別情報の内容も変更されてしまうため、新たな識別情報を基準にして記録媒体を識別すると、変更前の識別情報が記録された記録媒体を特定の記録媒体として認識することができなくなってしまうという問題がある。
【０００８】
また、上記識別情報は記録媒体の製造業社や記録媒体の規格に対応して一意的に割り当てられるため、その製造業社が製造した記録媒体であれば特定のサービス提供者以外の者が利用した場合でも特定の記録媒体として識別されてしまい、特定のサービス提供者が提供する記録媒体を確実に識別することができず、また、識別情報として１種類の情報を用いると識別情報が容易に知られてしまい、識別情報が不正に書き込まれる可能性が高くなる。
【０００９】
そして、このような問題は、写真画像に基づく静止画像データに限らず、デジタルカメラなどで撮影して得られた動画データやインターネットなどを介して取得した音楽データ、コンテンツデータなどにおいても同様に生じる。
【００１０】
本発明は、上記問題点に鑑みてなされたものであって、その主たる目的は、記録媒体を確実に識別し、特定の記録媒体に対してデータを記録することができる記録プログラム及び記録装置並びに記録媒体を提供することにある。
【課題を解決するための手段】
【００１１】
上記目的を達成するため、本発明の記録プログラムは、コンピュータを、記録媒体に予め記録されている少なくとも２つのコードに基づいて、該記録媒体を識別する記録媒体識別手段、前記記録媒体が特定の記録媒体であると認識したことを条件として、画像データを前記記録媒体に記録させる記録制御手段、として機能させるものである。
【００１２】
本発明においては、前記記録媒体識別手段では、前記２つのコードの論理演算の結果が予め定められた値と一致する場合に、該記録媒体を特定の記録媒体として認識する構成とすることができる。
【００１３】
また、本発明においては、前記２つのコードの内の１つのコードは、前記記録媒体の製造業社に対応して予め割り当てられたコードを含むことが好ましい。
【００１４】
また、本発明においては、前記２つのコードの内の少なくとも１つのコードは、前記記録媒体の論理アドレス領域外に記録されている構成とすることもできる。
【００１５】
また、本発明の記録装置は、画像データを入力する手段と、装填された記録媒体に記録されている少なくとも２つのコードに基づいて、該記録媒体を識別する記録媒体識別手段と、前記記録媒体が特定の記録媒体であると認識したことを条件として、前記画像データを前記記録媒体に記録させる記録制御手段と、を少なくとも備えるものである。
【００１６】
また、本発明の記録媒体は、特定のプログラムで認識される、予め割り当てられた第１のコードと、前記第１のコードとの論理演算の結果が予め定められた値になるように設定された第２のコードと、が少なくとも記録されているものである。
【００１７】
このように、本発明の構成によれば、記録媒体に予め記録されている少なくとも２つのコードの論理演算の結果に基づいて記録媒体を識別し、該記録媒体が特定の記録媒体であると認識したことを条件として、該記録媒体に画像データが書き込まれるため、一つのコードの内容が変更された場合であっても、その変更内容に基づいて他のコードの内容を設定すれば、変更前及び変更後にかかわらず記録媒体を確実に識別することができ、これにより特定の記録媒体に対してデータを記録することができる。また、識別情報として複数のコードを用いているため、記録媒体の識別精度を向上させ、識別情報の不正なコピーを抑制することもできる。
【発明の効果】
【００１８】
本発明の記録プログラム及び記録装置並びに記録媒体によれば、下記記載の効果を奏する。
【００１９】
本発明の第１の効果は、特定の記録媒体を確実に識別して画像データを記録することができるということである。
【００２０】
その理由は、記録媒体には、少なくとも、記録媒体の製造業社を特定するコードや記録媒体の規格を特定するコードなどの予め割り当てられる第１のコードと、サービス提供者が任意に設定することができる第２のコードとが書き込まれており、記録プログラムでは、上記第１のコードと第２のコードの論理演算の結果に基づいて該記録媒体を識別し、該記録媒体が特定の記録媒体であると認識したことを条件として、該記録媒体に画像データを書き込ませる制御を行うため、第１のコードの内容が変更された場合であっても、その変更内容に基づいて第２のコードの内容を設定すれば、変更前及び変更後にかかわらず記録媒体を確実に識別することができるからである。
【００２１】
また、本発明の第２の効果は、記録媒体の識別精度を高め、識別情報の不正なコピーを抑制することができるということである。
【００２２】
その理由は、識別情報として１種類の情報を用いるのではなく、予め割り当てられる第１のコードと任意に設定することができる第２のコードを含む複数の情報を用いているからである。
【発明を実施するための最良の形態】
【００２３】
本発明は、その好ましい一実施の形態において、記録媒体には、少なくとも、記録媒体の製造業社に対応するコード（例えば、製造業社コード）や記録媒体の規格に対応するコード（例えば、色素を特定するタイプコード）などの予め割り当てられる第１のコードと、第１のコードに基づいてサービス提供者が任意に設定することができる第２のコードとが書き込まれており、記録プログラムは、コンピュータを、第１のコードと第２のコードの論理演算の結果に基づいて記録媒体を識別する記録媒体識別手段、該記録媒体が特定の記録媒体であると認識したことを条件として、該記録媒体に画像データを書き込ませる記録制御手段、として機能させる。これにより、異なる製造業社に記録媒体を製造させた場合など、予め割り当てられる第１のコードが変更された場合であっても、変更された第１のコードに基づいてサービス提供者が第２のコードを設定することにより、変更前及び変更後にかかわらず記録媒体を確実に識別することができ、特定の記録媒体に対して画像データの書き込みを行うことができる。また、少なくとも第１のコードと第２のコードの複数のコードに基づいて記録媒体を識別するため、記録媒体の識別精度を高め、識別情報の不正なコピーを抑制することができる。
【実施例】
【００２４】
上記実施形態について詳細に説明すべく、本発明の一実施例に係る記録プログラム及び記録装置並びに記録媒体について、図１乃至図１１を参照して説明する。図１は、本実施例に係る記録装置の構成を模式的に示す図であり、図２乃至図５は、そのバリエーションを示す図、図６は、記録装置の手段を示すブロック図である。また、図７は、記録装置を用いた画像データの記録手順を示すフローチャート図であり、図８は、識別情報の論理演算の手法を模式的に示す図である。また、図９は、データのディレクトリ構造を示す図、図１０は、記録媒体におけるデータの記録領域を示す図、図１１は、記録媒体（ＣＤ−Ｒ）の構造を模式的に示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２５】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１に接続するネットワーク接続部等のデータを入力する手段と、記録媒体９を装填する記録媒体装填部４などのデータを記録する手段と、ボタン、キーボード、マウス等の操作手段６及びＬＣＤ、ＣＲＴ等の表示手段５（図では操作手段６と表示手段５とを兼ね備えるタッチパネルを示している。）とを備えている。
【００２６】
また、記録装置１に備える主な手段をブロック図で示すと図６のようになり、メディア装填部２や機器接続部３、ネットワーク接続部、記録媒体装填部４などを用いて画像データ（静止画像データや動画データ、画像情報を含むデータなどを総称して画像データと呼ぶ。）を入力するデータ入力手段１２と、必要に応じて、画像データのデータサイズを縮小したサムネイル画像データやスクリーンネイル画像データなどの縮小画像データを生成したり、画像データに基づいてＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などの画像データを生成するデータ生成手段１３と、記録媒体９の所定の領域に予め記録されている第１のコードと第２のコードとを読み出し、第１のコードと第２のコードの論理演算の結果に基づいて記録媒体９を識別する記録媒体識別手段１４と、該記録媒体が特定の識別情報であると認識したことを条件として、入力した画像データを記録媒体９に記録させる制御を行う記録制御手段１５と、画像データの表示などを行う表示手段５と、画像データの選択などを行う操作手段６とを備えている。
【００２７】
なお、上記各手段は記録装置１にハードウェアとして構成されていてもよいが、コンピュータを、少なくとも、記録媒体識別手段１４、記録制御手段１５として機能させる記録プログラムとして構成し、該記録プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、演算処理機能を備えるカーナビゲーション装置などとすることもできる。
【００２８】
上記構成の記録装置１（記録プログラム）を用いて特定の記録媒体に画像データを記録する手順について、図７のフローチャート図を参照して説明する。
【００２９】
まず、ステップＳ１０１で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。
【００３０】
次に、ステップＳ１０２で、記録媒体識別手段１４を用いて、記録媒体９の所定の領域から識別情報を読み取る。この識別情報として、従来は製造業社に対応するコード（製造業社コード）や記録媒体の規格に対応するコード（タイプコード）などを用いていたため、例えば、サービス提供者が異なる製造業社に記録媒体９を製造させた場合、該記録媒体９に記録される識別情報が変更されてしまうために、変更前又は変更後のいずれか一方の記録媒体９を特定の記録媒体として認識することができず、また、同じ製造業社に異なる種類の記録媒体９を製造させた場合（例えば、ＣＤ−ＲからＤＶＤ−Ｒに変えた場合）も、該記録媒体９に記録される識別情報が変更されてしまうために、変更前又は変更後のいずれか一方の記録媒体９を特定の記録媒体として認識することができなくなってしまうという問題があった。また、１種類のコードを識別情報として用いた場合には、記録媒体９の識別精度が低く、また、識別情報を知られてしまう可能性が高いために識別情報が不正にコピーされやすいという問題もあった。そこで、本実施例では、識別情報を、少なくとも、上記製造業社コードやタイプコードなどの予め割り当てられる第１のコードと、サービス提供者が任意に設定することができる第２のコードとを含む複数種類のコードで構成することを特徴としている。
【００３１】
なお、識別情報を簡単にコピーできないようにするために、識別情報の少なくとも一部を、コンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００３２】
ここで、一般的な記録媒体９の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３３】
次に、読み取った第１のコードと第２のコードとに基づいて記録媒体９を識別する。その際、第１のコードと第２のコードをそのまま利用したのでは、第１のコードの内容が変更された場合に、記録媒体９を正しく識別することができなくなってしまう。そこで、本実施例では、ステップＳ１０３で、記録媒体識別手段１４を用いて、第１のコードと第２のコードを論理演算し、論理演算の結果に基づいて記録媒体９を識別している。これにより、第１のコードの内容が変更された場合でも、その変更内容に応じて第２のコードの内容を設定すれば、論理演算の結果を同一にすることができ、変更前及び変更後の双方の記録媒体９を確実に識別することができる。
【００３４】
具体的に説明すると、例えば、図８に示すように、第１のコードとして５桁の製造業社コードを用い、第１のコードと第２のコードとを加算した結果が”７７７７７”であった場合に特定の記録媒体９であると識別することにすると、製造業社Ａの製造業社コード（第１のコード）が”３０２５６”であれば、第２のコードを”４７５２１”にすれば、論理演算の結果を”７７７７７”にすることができ、記録媒体９の製造業社が製造業社Ｂに代わり製造業社コード（第１のコード）が”１０３４５”になった場合は、第２のコードを”６７４３２”に設定すれば、論理演算の結果を同様に”７７７７７”にすることができ、これにより、第１のコードの内容が変更されたとしても第２のコードを利用することにより記録媒体９を確実に識別することができる。
【００３５】
そして、ステップＳ１０４で、論理演算の結果が予め定められた値と一致しない場合は特定の記録媒体でないと判断して、該記録媒体を排出して処理を終了又はステップＳ１０１に戻り、論理演算の結果が予め定められた値と一致する場合は、該記録媒体９を特定の記録媒体と認識して後述する書き込み処理を実行する。以下、書き込み処理の一例について具体的に説明する。
【００３６】
まず、ステップＳ１０５で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ１０６で、データ入力手段１２を用いて、デジタルカメラ７やメディア８に記録された画像データやサーバ１６に記録された画像データを読み取り、必要に応じて、表示手段５や操作手段６を用いて記録媒体９に記録する画像データを選択する。
【００３７】
次に、ステップＳ１０７で、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３８】
次に、ステップＳ１０８で、必要に応じて、読み取った画像データに基づいて動画データを生成し、該動画データをＤＶＤプレーヤやＤＶＤレコーダ、ＨＤＤレコーダ、ゲーム機等の画像再生機器で読み取り可能なデータ（Ｖｉｄｅｏ−ＣＤ形式、ＤＶＤ−Ｖｉｄｅｏ形式、ＨＤＴＶ形式などのデータ）に変換する。なお、画像データから動画データを生成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３９】
次に、記録媒体９に読み取った画像データや生成したデータを記録するが、その際、画像再生機器ではデータを読み込むことができる記録領域が限定されるため、ステップＳ１０９で、記録制御手段１５を用いて、生成した動画データや関連付けファイル等（以下、これらを総称して画像再生機器用データ群と呼ぶ。）を記録媒体９の論理アドレス領域の内側に記録する。
【００４０】
次に、必要に応じてセッションをクローズした後、ステップＳ１１０で、記録制御手段１５を用いて、読み取ったオリジナル画像データや、必要に応じてサムネイル画像データやスクリーンネイル画像データなどの縮小画像データ、スライドショープログラムなどのアプリケーション、スライドショーの設定ファイルなど（以下、これらを総称してコンピュータ機器用データ群と呼ぶ。）を記録媒体９に先に記録された画像再生機器用データ群の外側に記録して一連の書き込み処理を終了する。
【００４１】
上記手順で作成された記録媒体９には、図１０に示すように各種情報が記録され、ディスク型記録媒体９の最も内側の論理アドレス領域外には、第１のコードと第２のコード（第１のコードのみでもよい。）からなる識別情報が記録され、その外側の論理アドレス領域の内側には、画像再生機器用データ群が記録され、更にその外側の領域にはコンピュータ機器データ群が記録される。
【００４２】
また、上記手順で作成された記録媒体９のディレクトリ構造は、例えば、図９に示すようになり、”PS_Roll”フォルダ内のオリジナル画像データやサムネイル画像データ、スクリーンネイル画像データ、”APPL”フォルダ内のスライドショープログラムやスライドショーの設定ファイル、記録媒体９に関する各種情報が記述された特定の情報ファイル、自動起動ファイルなどでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群が構成される。
【００４３】
なお、画像データのディレクトリ構造は任意であるが、画像データをコンピュータ機器１０などにバックアップした場合における管理を容易にするために、例えば、図９に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４４】
また、特定の情報ファイルの形式は任意であり、例えば、図９に示すように、写真業界で推奨されている専用のファイル（例えば、index.pvm）などを用いてもよい。この形式のファイルには、記録媒体９のＩＤ（例えば、第２のコード）、画像データを記録する規格のバージョン情報、コンテンツＩＤ、記録媒体９の履歴情報（例えば、ショップ情報や作成ソフト、バージョン情報など）、ロール毎のマニフェストや編集されたマニフェスト情報、画像再生機器の再生指示情報（例えば、再生順やスライド間隔、スライド効果、画像回転、ＢＧＭなど）が記録されるため、画像データの管理を容易にすることができる。
【００４５】
このように、記録媒体９には、予め割り当てられた第１のコードと任意に設定することができる第２のコードとが記録されており、記録装置又は記録プログラムでは、記録媒体９から第１のコードと第２のコードとを読み取り、その論理演算の結果に基づいて記録媒体９を識別し、特定の記録媒体であると認識されたことを条件として、該記録媒体９に入力された画像データを書き込む制御を行うため、異なる製造業社が製造した記録媒体９や異なる種類の記録媒体９を用いる場合など、第１のコードは変更された場合でも、変更内容に応じて第２のコードを設定することにより、変更前及び変更後の双方の記録媒体９を特定の記録媒体として認識することができる。また、少なくとも２つのコードを用いて記録媒体９を識別するため、記録媒体９の識別精度を高め、また、識別情報の不正なコピーを抑制することができ、特定の記録媒体９を確実に識別して画像データの書き込みを行うことができる。
【００４６】
なお、上記実施例では、識別情報として第１のコードと第２のコードの２種類のコードを用いる場合について説明したが、本発明は上記実施例に限定されるものではなく、少なくとも、予め割り当てられる情報と任意に設定できる情報とを含む複数の情報を用いる構成であればよい。また、上記フローでは、記録媒体９が特定の記録媒体である場合に画像データの書き込みを行う構成としたが、既に画像データが記録されている場合には画像データを表示するなど、記録媒体９が特定の記録媒体である場合に他の処理を実行する構成とすることもできる。
【００４７】
また、記録媒体９に記録されるデータは画像データに限らず、音楽データなどの他の種類のデータとしてもよく、その場合も同様に適用することができる。
【図面の簡単な説明】
【００４８】
【図１】本発明の一実施例に係る記録装置の構成を模式的に示す図である。
【図２】本発明の一実施例に係る記録装置の他の構成を示す図である。
【図３】本発明の一実施例に係る記録装置の他の構成を示す図である。
【図４】本発明の一実施例に係る記録装置の他の構成を示す図である。
【図５】本発明の一実施例に係る記録装置の他の構成を示す図である。
【図６】本発明の一実施例に係る記録装置の構成を示すブロック図である。
【図７】本発明の一実施例に係る記録装置を用いた画像データの書き込み手順を示すフローチャート図である。
【図８】本発明の一実施例に係る論理演算の手法を模式的に示す図である。
【図９】本発明の一実施例に係る記録媒体におけるデータのディレクトリ構造を示す図である。
【図１０】本発明の一実施例に係る記録媒体におけるデータの記録領域を模式的に示す図である。
【図１１】記録媒体（ＣＤ−Ｒ）の構造を模式的に示す図である。
【符号の説明】
【００４９】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  データ生成手段
１４  記録媒体識別手段
１５  記録制御手段
１００  ポリカーボネート基板
１０１  有機色素層
１０２  反射層
１０３  保護層
【図１】
2006031777.tif 000003
【図２】
2006031777.tif 000004
【図３】
2006031777.tif 000005
【図４】
2006031777.tif 000006
【図５】
2006031777.tif 000007
【図６】
2006031777.tif 000008
【図７】
2006031777.tif 000009
【図８】
2006031777.tif 000010
【図９】
2006031777.tif 000011
【図１０】
2006031777.tif 000012
【図１１】
2006031777.tif 000013